(57)【特許請求の範囲】
【請求項１】
原稿を載置するための載置台と、自動原稿搬送装置を備えた原稿押圧板と、該原稿押圧板を該載置台に取り付けるための複数のヒンジ部とを備え、該ヒンジ部の一方を固定側、他方を調整側とし、載置台に対して固定側のヒンジ部を支点として原稿押圧板を回動調整可能とする読取部において、該調整側のヒンジ部を載置台に対して固定する固定ピンと、該調整側のヒンジ部に螺合してその先端を該固定ピンに当接させるネジとを備えたことを特徴とする読取部。
【請求項２】
前記ネジを前記調整側のヒンジ部の外側面より螺合したことを特徴とする請求項１記載の読取部。
【発明の詳細な説明】
【０００１】
【発明の属する技術分野】
本発明は、フラッドベッドスキャナーを備える自動原稿搬送装置において、そのフラッドベッド面をカバーする原稿押圧板を、装置本体に対して微調整する技術に関する。
【０００２】
【従来の技術】
従来、コピー機等のフラッドベッドスキャナーを備える画像読取装置では、原稿、又は本等をフラットベッドガラス上に載置し、その上から原稿押圧板を閉じて押さえ込んだ後、読み取りが行われていた。
また、原稿押圧板の一端には、自動原稿搬送装置（以下、「ＡＤＦ」）が付設されており、該ＡＤＦに原稿を１枚ずつ給送しながらその画像を読み取るシートフィードタイプのスキャナとしても用いられ、この場合、図３に示す原稿押圧板１０と読取装置を収納する読取載置台４との位置関係は重要であり、該原稿押圧板１０を閉じたときに、該読取載置台４に対して精確に取り付けられなければならない。即ち、原稿押圧板１０側の原稿搬送ラインと、読取載置台４側の原稿読取ラインとがずれないように一致させる必要がある。
前述の位置関係がずれると、読取位置に対して原稿が斜めに進入し、読み取られる画像が左右に傾いて記録紙に複写される画像も傾いたり、また、原稿が該読取位置を通過の際、ばたついたりして、読み取られる画像がぶれ、記録紙に複写される画質への影響もあった。
そこで、通常、原稿押圧板１０を読取載置台４に取り付ける前記ヒンジ１１・１２の一方１１を固定、他方１２を調整可能として読取載置台４に対して、該一方のヒンジ１１を支点として回動することにより、該他方のヒンジ１２を調整して、原稿押圧板１０と読取載置台４とを位置合わせしていた。
【０００３】
具体的には、図４及び図５に示すように、調整側のヒンジ１２では、読取載置台４の上面に凸設させた固定ピン１３の前方にヒンジプレート１７を宛がい、該固定ピン１３とヒンジプレート１９とをヒンジ１２の座部１２Ｂに開口した長孔１２ｂに嵌め込み、そして、該ヒンジ１２を後方へ摺動して位置固定した後に、該座部１２Ｂの前端部を取付ネジ１８で締結し、読取載置台４に固定していた。
【０００４】
前記ヒンジプレート１７は、円柱状部材の外周面に所定間隔を空けて３つの溝部１７ａ・１７ａ・１７ａを設けた形状で、これらの溝部１７ａ・１７ａ・１７ａはその半径方向へ向けての深さがそれぞれ異なり、よって、固定ピン１３の胴部１３ｂに係合する該溝部１７ａの一つを他の溝部１７ａに切り替えることによって、ヒンジ１２が前後に摺動変位し、原稿押圧板１０の位置が調整されていた。
【０００５】
【発明が解決しようとする課題】
しかしながら、前述のようにヒンジプレート１７の溝部１７ａ・１７ａ・１７ａを切り替えるには、ヒンジ１２とともに原稿押圧板１０を一旦開放しなければならず、手間隙がかかる上、原稿押さえカバー１２の微調整は、固定ピン１３と溝部１７ａ・１７ａ・１７ａの一つとの係合によるため、３段階しかできず、その範囲内でしか微調整ができない。
【０００６】
【課題を解決するための手段】
本発明は以上のような課題を解決すべく、次のような手段を用いる。すなわち、請求項１記載の如く、原稿を載置するための載置台と、自動原稿搬送装置を備えた原稿押圧板と、該原稿押圧板を該載置台に取り付けるための複数のヒンジ部とを備え、該ヒンジ部の一方を固定側、他方を調整側とし、載置台に対して固定側のヒンジ部を支点として原稿押圧板を回動調整可能とする読取部において、該調整側のヒンジ部を載置台に対して固定する固定ピンと、該調整側のヒンジ部に螺合してその先端を該固定ピンに当接させるネジとを備えた。
【０００７】
また、請求項２記載の如く、前記ネジを前記調整側のヒンジ部の外側面より螺合して、装置の外側より原稿押圧板を載置台に位置合わせする。
【０００８】
【発明の実施の形態】
これより、本発明に係る実施例を、コピー・ファクシミリ複合機に取り付けられた原稿押圧板１０を用いて説明する。
図１はＡＤＦを備えたコピー・ファクシミリ複合機の斜視図、図２は本発明に係るヒンジの側面図（一部側面断面図）、図３は原稿押圧板の読取ケースに対する微調整の説明図であって、（ａ）は微調整前、（ｂ）は微調整後、図４は従来型のヒンジの側面断面図、図５は同じく平面断面図である。
【０００９】
尚、以下の説明において、図１に標す矢視方向（コピー・ファクシミリ複合機にあっては操作パネル３側）を前方として、各構造体の前後左右方向を説明する。また、他の図面におけるその前後左右方向についても、図１に準ずるものとする。
【００１０】
図１に示すように、コピー・ファクシミリ複合機は、記録部２の上方に読取部１を配置して構成され、読取部１で読み取られた原稿等の画像を、記録部２で記録紙に複写する。
【００１１】
前記読取部１は、読取載置台４に内設した読取装置６を走査させて静止原稿等を読み取るフラットベッドタイプのスキャナとして用いられるとともに、該読取装置６を位置固定して、原稿を原稿押圧板１０の右端に付設したＡＤＦ８に給送しながら読み取りを行うシートフィードタイプのスキャナとして用いることができるように構成されている。
【００１２】
前者の場合、前記読取載置台４の上面に形成されたフラットベッドガラス５上に原稿等を載置し、その上から原稿押圧板１０を閉じて押さえ込み、ここで操作パネル３上に設けたスタートボタンを押す。これにより前記読取装置６がフラットベッドガラス５の右端位置から左端位置まで移動して走査が行われ、該原稿等の画像が読み取られる。
【００１３】
また、後者の場合は、前記原稿押圧板１０を閉じた上で、前記ＡＤＦ８の給紙口８ａに原稿をセットし、ここでスタートボタンを押すと、該原稿は一枚ずつＡＤＦ８内へ取り込まれる。このとき前記読取装置６は該プラテンガラス９の下方位置まで移動して位置固定されており、前記原稿は、プラテンガラス９に対向する、ＡＤＦ８下方の開口部８ｂを通過する際に、該読取装置６によって読み取られる。
【００１４】
次に、原稿押圧板１０の読取載置台４に対する調整について説明する。
図１及び図２に示すように、原稿押圧板１０は、その後端に並設されるヒンジ１１・１２が、読取載置台４の上面における後端部で固定ピン１３・１３により枢支されていることにより、該読取ケース１０に対して、該固定ピン１３・１３を支点として、上下回動可能に構成されている。
【００１５】
ところで、図３の（ａ）に示すように、原稿押圧板１０を閉じたときに、該原稿押圧板１０が読取載置台４に対し、その位置がずれることがある。ＡＤＦ８下方の開口部８ｂと、その対向位置にあるプラテンガラス９とが、水平方向にずれた場合には、該開口部８ｂを通過する原稿は、プラテンガラス９に対して斜めに進入することとなり、そのため、読み取られる画像は左右に傾き、記録紙に複写される画像も傾いてしまう。また、プラテンガラス９と、開口部８ｂを設けたＡＤＦ８下面とが垂直方向にずれ、そのクリアランスが一定とはならない場合には、原稿がプラテンガラス９上を通過して読み取られる際に、ばたついたりして、読み取られる画像がぶれ、その結果、記録紙に複写される画質にも影響してしまう。
【００１６】
そこで、図３の（ｂ）のように、従来から原稿押圧板１０を読取載置台４に取り付ける前記ヒンジ１１・１２の一方１１を固定、他方１２を調整可能として読取載置台４に対して、該一方のヒンジ１１を支点として回動可能とすることにより、該他方のヒンジ１２を調整して、前記プラテンガラス９とＡＤＦ８下面の開口部８ｂとを位置合わせし、該プラテンガラス９上面とＡＤＦ８下面とが平行となるようにしていた。
【００１７】
図４及び図５に示すように、調整側のヒンジ１２において、読取載置台４の上面に凸設させた固定ピン１３の前方にヒンジプレート１７を宛がい、該固定ピン１３とヒンジプレート１９とをヒンジ１２の座部１２Ｂに開口した長孔１２ｂに嵌め込む。そして、該ヒンジ１２を後方へ摺動して位置固定した後に、該座部１２Ｂの前端部を取付ネジ１８で締結し、読取載置台４に固定する。
符号１９はナットであり、また、ヒンジ１２の座部１２Ｂに設けた取付ネジ１８のネジ孔は長孔１２ｃで形成されている。
【００１８】
前記ヒンジプレート１７は、円柱状部材の外周面に所定間隔を空けて３つの溝部１７ａ・１７ａ・１７ａを設けた形状で、これらの溝部１７ａ・１７ａ・１７ａはその半径方向へ向けての深さがそれぞれ異なり、よって、固定ピン１３の胴部１３ｂに係合する該溝部１７ａの一つを他の溝部１７ａに切り替えることによって、ヒンジ１２が前後に摺動変位し、原稿押圧板１０の位置が調整される。
【００１９】
しかしながら、前述のようにヒンジプレート１７の溝部１７ａ・１７ａ・１７ａを切り替えるには、ヒンジ１２とともに原稿押圧板１０を一旦開放しなければならず、手間隙がかかる上、原稿押さえカバー１２の微調整は、固定ピン１３と溝部１７ａ・１７ａ・１７ａの一つとの係合によるため、３段階しかできず、その範囲内でしか微調整ができない。
【００２０】
そこで、本発明では、以下のようにヒンジ１２の構造を改良する。
図２に示すように、ヒンジ１２の座部１２Ｂには前後方向に向けた長孔１２ａが開口され、該長孔１２ａに読取載置台４の上面に凸設させた固定ピン１３を嵌め込む。尚、該長孔１２ａの横幅は固定ピン１３の胴部１３ｂの外径に合わせて形成されている。
【００２１】
また、ヒンジ１２の座部１２の後面より前方へ向けて調整ネジ１４が螺合され、該調整ネジ１４の前端面１４ａを固定ピン１３の頭部１３ａに当接させている。該調整ネジ１３はヒンジ１２の内外両側面でナット１５・１６により固定されている。
【００２２】
このような構成で、前記調整ネジ１４を捩じ込めば、該調整ネジ１４は固定ピン１３によってブロックされて前方へは変位せず、よって、該調整ネジ１４のネジ山に案内されてヒンジ１２の方が後方へと摺動変位する。
こうして、図３に示すように、原稿押圧板１０と読取載置台４との位置合わせができれば、前記ナット１６を締め付け、ヒンジ１２を該ナット１５・１６で挟持してその位置固定をし、原稿押圧板１０は適正位置に矯正される。
これにより、原稿押圧板１０における他方のヒンジ１２側が、一方のヒンジ１１を支点として水平方向に回動され、原稿押圧板１０側の原稿搬送ラインと、読取載置台４側の原稿読取ラインとが一致するように調整することができる。
【００２３】
この構成では、原稿押圧板１０を取り外す必要がなく、該コピー・ファクシミリ複合機の後方側から前記調整ネジ１４を調整するだけで、原稿押圧板１０を容易に調整することができる。さらに、調整ネジ１４を締緩してヒンジ１２を所望の位置に摺動変位させることができるので、原稿押圧板１０の調整は無段階に行え、その調整精度の向上を図ることができる。
【００２４】
また、装置本体側の固定ピン１３と、原稿押圧板１０を取り付けたヒンジ１２に螺合する調整ネジ１４とが接触しているため、ヒンジ１２と固定ピン１３との間で、原稿押圧板１０上に付設されるＡＤＦ８のアースをとることができる。
【００２５】
【発明の効果】
本発明は以上の如く構成したので、以下のような効果を奏するものである。すなわち、請求項１のように構成することで、該ネジを締緩して該調整側のヒンジ部を所望の位置に摺動変位させることができ、その結果、原稿押圧板の位置調整が無段階となって、その調整精度の向上を図ることができる。
【００２６】
また、請求項２のように構成することで、わざわざ原稿押圧板を開けて取り外さなくとも、装置の外側から該ネジを調整することができ、原稿押圧板を容易に調整することができ、作業性の向上を図ることができる。
【図面の簡単な説明】
【図１】ＡＤＦを備えたコピー・ファクシミリ複合機の斜視図。
【図２】本発明に係るヒンジの側面図（一部側面断面図）。
【図３】原稿押圧板の読取ケースに対する微調整の説明図。
【図４】従来型のヒンジの側面断面図。
【図５】同じく平面断面図。
【符号の説明】
４    読取載置台
６    読取装置
８    ＡＤＦ
８ｂ  開口部
９    プラテンガラス
１０    原稿押圧板
１２    ヒンジ
１２ａ  長孔
１３    固定ピン
１３ａ  頭部
１４    調整ネジ
１４ａ  前端面
【図１】
0004010104.tif 000002
【図２】
0004010104.tif 000003
【図３】
0004010104.tif 000004
【図４】
0004010104.tif 000005
【図５】
0004010104.tif 000006